(57)【要約】【課題】法面の緑化の一環として行われる法枠の中詰めを容易にすること。【解決手段】法枠（１２）が設置された法面（１０）の緑化のために行われる法枠の中詰め方法であって、法枠の升目（１４）内に法枠により支持される仕切り板組立体（１６）を設置し、仕切り板組立体で仕切られた空間を充填材（１８）で充填することを含む。充填材は、土と木材のチップとを含む混合物からなるものとすることができる。【選択図】図１
2006152661.tif 000002
【特許請求の範囲】
【請求項１】
法枠が設置された法面の緑化のために行われる前記法枠の中詰め方法であって、
前記法枠の升目内に前記法枠により支持される仕切り板組立体を設置すること、
前記仕切り板組立体で仕切られた空間に充填材を充填することを含む、中詰め方法。
【請求項２】
前記充填材は、土と木材のチップとを含む混合物からなる、請求項１に記載の方法。
【発明の詳細な説明】
【技術分野】
【０００１】
本発明は、法枠が設置された法面の緑化のために行われる前記法枠の中詰め方法に関する。
【背景技術】
【０００２】
コンクリート製の法枠が設置された法面の緑化工においては、法枠上に、植生が根付く基盤である植生基盤を形成するに先立ち、法枠の升目内に客土のような充填物を充填すること（中詰め）が行われている。これによれば、升目内のみならずこれを規定する周囲部分（コンクリート部分）を含む法枠の表面の全部にこれを覆う植生基盤を配置することができ、これにより、植生による法枠の全表面の被覆が可能である。
【０００３】
ところで、法枠の中詰めに際しては、従来、特に急峻な法面上の法枠の升目内への充填物の充填を確保するため、予め升目内を上下に仕切る１又は複数の棚を作ることが提案されている（後記特許文献１参照）。
【０００４】
この提案に係る前記棚は、法枠内に水平に配置された丸太と、法面に打ち込まれ前記丸太を支えるアンカー筋やアンカーボルトのような複数のアンカー材とからなる。しかし、法面は岩盤からなることが多い。特に急峻な法面にあっては、岩盤の穿孔、その孔内へのアンカー材の挿入、前記孔内へのモルタル注入等の作業を伴うアンカー材の設置に労力と時間とを要し、また作業上の安全性に問題があった。
【特許文献１】特開平１０−１５２８５０号公報
【発明の開示】
【発明が解決しようとする課題】
【０００５】
本発明の目的は、法面の緑化の一環として行われる法枠の中詰めを容易にすることにある。
【課題を解決するための手段】
【０００６】
本発明は、法枠が設置された法面の緑化のために行われる前記法枠の中詰め方法であって、前記法枠の升目内に前記法枠により支持される仕切り板組立体を設置し、前記仕切り板組立体で仕切られた空間を充填材で充填することを含む。前記充填材は、土と木材のチップとを含む混合物からなるものとすることができる。
【発明の効果】
【０００７】
本発明によれば、法枠の各升目内に該法枠自体に支持される仕切り板組立体を設置することから、前記仕切り板組立体を支持するのに従来におけるアンカー材の設置作業を必要とせず、またこれに伴う不安定な足場での作業を強いられることがない。このため、後の充填材による充填作業を含む法枠の中詰めを比較的容易に行うことができる。
【０００８】
仕切り板組立体で仕切られた空間に充填する土と木材のチップとして、例えば現地で発生したそれらを活用することができる。
【発明を実施するための最良の形態】
【０００９】
図１を参照すると、法面１０上に該法面の保護のための法枠１２が設置されている。
【００１０】
法面１０に沿って上下左右に伸びる法枠１２は、例えば鉄筋コンクリートにより形成され、図示の例では全体に格子状を呈する。
【００１１】
法枠１２の前記格子が規定する各空間である各升目１４の内部には、法枠１２により支持された、複数の仕切り板からなる仕切り板組立体（以下単に「組立体」と称することがある。図１に示す例ではＸ形の平面形状を有する。）１６が設置されている。
【００１２】
組立体１６で仕切られた４つの空間には充填材１８が充填されている。充填材１８としては、例えば法面１０の築造に伴って生じた現地の土及び木材のチップの混合物や、砂、土嚢等が用いられる。
【００１３】
升目１４内の組立体１６及び充填材１８は、好ましくは、升目１４を規定する周囲部２０の頂面と同一面上にある。ただし、升目１４内空間の充填は、図示の例のように、充填材１８により升目１４の全部が満たされるように行われることが望ましいが、充填材１８の種類によって、例えば前記土嚢からなる場合には、土嚢相互間及び該土嚢と升目１４の周囲部２０の頂面を含む平面との間に不可避的に生じる空間を残して行われる。
【００１４】
各升目１４内への組立体１６の設置及び充填材１８の充填は、次のようにして行うことができる。
【００１５】
先ず、好ましくは、升目１４内を清掃し、升目１４内に存する異物を取り除く。また、升目１４内を規定する法面１０の一部すなわち底版部２２をできるだけ平坦にする。
【００１６】
次に、仕切り板組立体１６を升目１４の底版部２２上に置いて、升目１４内に嵌め込む。組立体１６は矩形の升目１４の両対角線上を伸びかつその４つの先端部２４がそれぞれ升目１４の４つのコーナ部に位置するように、予め升目１４の大きさに合わせた大きさに設定されている。また、組立体１６（より詳細には各仕切り板）は升目１４の深さ寸法とほぼ同じ高さ寸法（前記仕切り板の幅寸法）を有する。前記Ｘ形の組立体１６は１の長い仕切り板１７ａと、該長い仕切り板にその長手方向中央部に固定された２つの短い仕切り板１７ｂとからなる（図３参照）。
【００１７】
組立体１６は、長い仕切り板１７ａに２つの短い仕切り板１７ｂを固定してなる図示の例に代えて、仕切り板１７ａと同一の２つの長い仕切り板（図示せず）からなるものとすることができる。前記２つの長い仕切り板には、それぞれ、これらの長手方向中央部に切欠きを設ける。各切欠きは、好ましくは、全体に矩形状を呈し、前記仕切り板の厚さ寸法にほぼ等しい幅寸法と前記仕切り板の幅寸法の１／２にほぼ等しい高さ寸法とを有する。これによれば、長い両仕切り板を互いに他の一方の切欠きに挿し込むことにより結合（挿し込み結合）し、全体にＸ形を呈する組立体を得ることができる。あるいは、また、より幅の広い切欠きを設けた長い両仕切り板を互いに他の一方の一方に挿し込みかつ両仕切り板を蝶番で結合（ヒンジ結合）することにより、前記組立体を得ることができる。これによれば、長い両仕切り板を前記蝶番の軸の周りに回転させてこれらの仕切り板が成す角度を変えることができる。
【００１８】
前記組立体を構成する個々の仕切り板は、また、これを単板で構成する図示の例に代えて、例えば矩形状のフレームと該フレームにその開口を覆うように取り付けられた金網とからなるものとすることができる。これによれば、前記単板を用いる場合に比べてより軽量の組立体を得ることができる。
【００１９】
組立体１６が升目１４内に設置されるとき、その４つの先端部２４が升目１４の４つのコーナ部と係合する。このとき、組立体１６は法枠１２、より詳細にはその周囲部２０に升目１４内をその底板部２２に沿って移動しないように支持され、実質的に周囲部２０と一体をなす。このように、升目１４内への仕切り板組立体１６の設置は、従来におけるアンカー材の打ち込み作業を必要とせず、比較的容易に、また安全に行うことができる。
【００２０】
組立体１６は、図１に示すＸ形のものに、十字形をなす４つの仕切り板２６を付加したもの（図２）、全体に矩形状をなすように組まれた４つの仕切り板２８を付加したもの（図３）又は筒状をなす４つの仕切り板３０を付加したもの（図４）とすることができる。これらの仕切り板の付加により、升目１４内がより細分化され、また組立体１６が法枠１２により強固に保持される。
【００２１】
図２に示す４つの仕切り板２６は、それぞれ、前記Ｘ形のものにその中央の交点で固定され、升目１４の周囲部２０の４つのコーナ部間の中間点に向けて放射方向へ伸びこれに接している。また、図３に示す４つの仕切り板２８は、それぞれ、アングル形のそれからなる。これらのアングル形の仕切り板２８は、それぞれ、前記Ｘ形の仕切り板１７ａ，１７ｂが規定する４つの空間にあり、アングル形の各仕切り板２８の両端部が仕切り板１７ａ，１７ｂに固定されかつその両端部間の角部が升目１４の周囲部２０にその前記コーナ部間の中間で接している。さらに、図４に示す４つの円筒形の仕切り板３０は、それぞれ、前記Ｘ形の仕切り板１７ａ，１７ｂが規定する４つの空間にあり、仕切り板１７ａ，１７ｂに接して固定された各仕切り板３０は、升目１４の周囲部２０にその各対のコーナ部間の中間で接している。これらの仕切り板２６，２８，３０は、前記Ｘ形のものを補強しかつ升目１４内により強固に保持する作用をなす。
【００２２】
図２及び図３に示す例に関し、互いに交差する前記仕切り板を例えば溶接により固定する図示の例に代えて、前記挿し込み結合又は前記ヒンジ結合によるものとすることができる。また、図３に示す仕切り板２８に関し、これらをアングル形とすることに代えて、これらの仕切り板２８が規定する矩形の各辺に沿って伸びる４つの直線状の仕切り板とすることができる。この場合、前記直線状の仕切り板と、仕切り板１７ａ，１７ｂとの結合は、前記固定、前記挿し込み結合又は前記ヒンジ結合によるものとすることができる。また、この場合、互いに結合される２つの直線状の仕切り板の両端部を、図５に示す後述の例におけると同様に、鋭角に折り曲げられ互いに相対する両端部（３８）とすることができる。これにより、仕切り板同士がより強固に結合され、前記仕切り板が受ける充填材１８からの荷重が各仕切り板により効率的に伝達され、また特定の仕切り板の反りや曲がりをより少なくすることができる。
【００２３】
図５及び図６を参照すると、全体に山形の平面形状を有する組立体１６が示されている。
【００２４】
図５に示す組立体１６は、互いに固定された２つの仕切り板３６からなる。両仕切り板３６はそれぞれの鋭角に折り曲げられ互いに相対する両端部３８を有し、これらの両端部３８に置いて互いに接合され、角部３４を規定している。このような両端部３８を設けることにより、該両端部において、両仕切り板３６をより強固に接合することができる。
【００２５】
この組立体１６にあっては、その両端部３２が、それぞれ、升目１４の互いに隣り合う２つのコーナ部に係合し、かつ両端部３２間の角部３４が升目１４の周囲部２０に他の隣接する両コーナ部間の中間で接している。この例では、組立体１６は升目の周囲部２０における前記２つのコーナ部及び中間の３点において、法枠１２に底板部２２上を移動しないように堅固に支持される。
【００２６】
また、図６に示す例では、図５に示すと同様の組立体１６が用いられ、該組立体の角部３４及び両端部３２が、それぞれ、升目の周囲部２０にその下方の両コーナ部間の中間点及びその両側方に位置する２対の両コーナ部間の点で接している。この例では、角部３４が法面１０に関して下方に向けられているため、組立体１６は、実質的に、底版部２２上を移動しない。
【００２７】
図７に示すように、組立体１６が、全体に三角形状を呈するものとすることができる。この例における組立体１６は、図６に示す組立体１６の両仕切り板３６間に追加の仕切り板３８を配置しかつこれらの端部３２に仕切り板３８を接続してなる。
【００２８】
次に図８を参照すると、組立体１６が全体に矩形を呈するものが示されている。この組立体１６は上下２組の仕切り板４０からなり、各組の仕切り板４０はヒンジ３９で結合された２つの仕切り板部４１からなる。２組の仕切り板４０はこれらの両先端部４２において互いに接している。また、組立体１６は、その４つのコーナ部において、升目１４にそのコーナ部間の４つの中点で接している。これにより、組立体１６が前記４つの中点において升目１４内に支持され、升目の底版部２２上を滑動しない。ヒンジ３９で結合された両仕切り板部４１はこれを折り畳むことができるため、組立体１６の運搬に便利である。
【００２９】
平面形状が矩形のこの組立体１６の補強のため、前記矩形の１の対角線上を伸びかつ両組の仕切り板４０の端部に接する追加の仕切り板４４を有するものとし（図９）、また、仕切り板４４の補強のためさらに他の対角線上を上下方向に伸びる追加の仕切り板４５を有するもの（図１０）とすることができる。なお、これらの例では、仕切り板部４１同士がヒンジ３９で結合されておらず、これらの端部において互いに接しているのみである。
【００３０】
また、仕切り板４６の追加により升目１４の空間をより細分化することができる。升目１４の細分化により、この例に限らず前記したいずれの例においても、前記仕切り部材が相互に規定する空間を満たす充填材１８が、升目１４の下方に向けて密に詰まること、又は偏りをその程度において少なくすることができる。なお、前記したいずれの例においても、前記挿し込み結合又はヒンジ結合を採用することは任意である。
【００３１】
前記仕切り板は、金属材料、プラスチック材料、生分解性プラスチック材料、合板材料、間伐材等で製造することできる。
【００３２】
升目１４内への仕切り板の組立体１６の設置後、組立体１６により仕切られた升目１４内の空間に充填材１８を充填する。充填物１８の充填は、例えば、コンクリートバケットのようなバケット（図示せず）に入れた充填物１８を、例えばクレーンを用いて、升目１４内にその上方から落下させ、その後均すことにより行うことができる。また、前記土嚢からなる充填材１８の場合には、これを組立体１６により仕切られた升目１４内の空間に運び込むことにより、これを充填することができる。
【００３３】
組立体１６及び充填材１８の充填により、法枠１６の表面上に法面１０と平行な、又は法面１０に沿って伸びる斜面を得ることができる。
【００３４】
このようにして得られた斜面上に、これを覆う１又は複数の金網４６（図１）を設置し、該金網上に植物生育基盤４８を形成することができ、これにより、法枠１２が設けられた法面１０の緑化工を終了する。
【００３５】
植物生育基盤４８は、法枠の升目１４、より詳細には升目１４を埋める組立体１６及び充填材１８の表面のみならず、法枠の周囲部２０の表面をも覆っているため、植物生育基盤に根付く植物により法枠１２の全表面を覆い尽くすことができ、これにより、より良好な法面１０の緑化を図ることができる。
【００３６】
なお、植物生育基盤４８は、例えば、土、木材のチップ、植物の種子、肥料等を含む混合物を金網４６上に散布することにより層状に形成することができる。
【図面の簡単な説明】
【００３７】
【図１】法面上に配置された法枠及びその升目内に配置された仕切り板組立体及び充填材とを示す斜視図である。
【図２】升目内に配置される仕切り板組立体の他の例の平面図である。
【図３】升目内に配置される仕切り板組立体の他の例の平面図である。
【図４】升目内に配置される仕切り板組立体の他の例の平面図である。
【図５】升目内に配置される仕切り板組立体の他の例の平面図である。
【図６】升目内に配置される仕切り板組立体の他の例の平面図である。
【図７】升目内に配置される仕切り板組立体の他の例の平面図である。
【図８】升目内に配置される仕切り板組立体の他の例の平面図である。
【図９】升目内に配置される仕切り板組立体の他の例の平面図である。
【図１０】升目内に配置される仕切り板組立体の他の例の平面図である。
【符号の説明】
【００３８】
１０  法面
１２  法枠
１４  升目
１６  仕切り板の組立体
１８  充填材
【図１】
2006152661.tif 000003
【図２】
2006152661.tif 000004
【図３】
2006152661.tif 000005
【図４】
2006152661.tif 000006
【図５】
2006152661.tif 000007
【図６】
2006152661.tif 000008
【図７】
2006152661.tif 000009
【図８】
2006152661.tif 000010
【図９】
2006152661.tif 000011
【図１０】
2006152661.tif 000012